(57)【要約】【課題】複数階からなる集合住宅等の上階のみで配管の引き抜きや取り換えが可能であり、作業の際にも脚立やジャッキ等を使用せず、比較的安全に作業することのできる管の引き抜き工具を提供する。【解決手段】管を引き抜く工具が、引き抜かれる管Ａの外周面と接触して該管Ａを保持し且つ外周面３ｂをテーパ状としたコマ３と、前記管Ａとコマ３を保持し上下のプレート（１ａ、１ｂ）とボルト１ｃとナット１ｄで構成される管ホルダ１と、前記管ホルダ１に連結されたシリンダ用シャフト５と、油圧により前記シリンダ用シャフト５を上方向に持ち上げるシリンダ２と、上下のプレート（４ａ、４ｂ）と複数本のボルト４ｃとナット４ｄとで構成されるシリンダホルダ４と、で構成される。【選択図】図１
2010203508.tif 000002
【特許請求の範囲】
【請求項１】
引き抜かれる管の外周面と接触して該管を保持し且つ外周面をテーパ状としたコマと、前記引き抜かれる管とコマとを保持する管ホルダと、前記管ホルダに連結されたシリンダ用シャフトと、油圧により前記シリンダ用シャフトを上方向に持ち上げるシリンダと、該シリンダを保持するシリンダホルダと、を備えた管の引き抜き工具。
【請求項２】
引き抜かれる管の外周面と接触して該管を保持し且つ外周面をテーパ状としたコマと、前記引き抜かれる管とコマとを保持する管ホルダと、外周面に雄ねじを設けたシャフトと、
前記シャフトを貫通させた一方のプレートと引き抜かれる管と前記コマが嵌まる程度の穴を穿設した他方のプレートと、これら一方のプレートと他方のプレートとを複数本のボルトとナットで連結してなる固定台と、
前記シャフトの雄ねじに前記一方のプレートの上側で螺合させた雌ねじと、を備えた管の引き抜き工具。
【請求項３】
引き抜かれる管の外周面と接触して該管を保持し且つ外周面をテーパ状としたコマと、前記引き抜かれる管とコマとを保持する管ホルダと、外周面に雄ねじを設けたシャフトと、
該シャフトを貫通させた一方のプレートと引き抜かれる管と前記コマが嵌まる程度の穴を穿設した他方のプレートとこれら一方のプレートと他方のプレートとを複数本のボルトとナットで連結してなる固定台と、
前記シャフトの雄ねじに前記一方のプレートの上側で螺合させた雌ねじと、前記外周面に雄ねじを設けたシャフトの端部に設けたハンドルと、を備えた管の引き抜き工具。
【請求項４】
前記管ホルダは、一方のプレートと、引き抜かれる管とコマとが嵌まる程度の穴を穿設した他方のプレートとを複数本のボルトとナットで連結して構成してなる請求項１または請求項２または請求項３に記載の管の引き抜き工具。
【請求項５】
前記シリンダホルダは、前記シリンダを設置した一方のプレートと、床の上に設置する他方のプレートと、これら一方のプレートと他方のプレートとを複数本のボルトとナットで連結して構成してなる請求項１に記載の管の引き抜き工具。
【請求項６】
前記コマの外周面端部に鍔部を形成するとともに、内周面には鋸歯状の凹凸が形成してある請求項１または請求項２または請求項３に記載の管の引き抜き工具。
【発明の詳細な説明】
【技術分野】
【０００１】
本発明は、アパートやマンションおよび団地などの集合住宅において、古くなった水道管（ＳＧＰ管）を交換するときに用いられ、水道管（ＳＧＰ管）を床のコンクリートから引き抜く管の引き抜き工具に関する。
【背景技術】
【０００２】
通常の住宅においては水回り（上水道や下水道）用の管が配置され、使用年数が長くなると水漏れ等の支障が生じるので、これを防止するため古くなった水回り用の配管は新しい配管に取り換える。しかし、管はコンクリート中に埋設されていることが多いため古い管を抜き取るのはなかなか困難である。特に、集合住宅において、既設管を撤去して既設管と同一経路にて給水管の更新を行う場合、通常は既設管上下を切断し、タイヤモンドカッターにてコンクリートを穿孔し、管が貫通したままの状態で既設管を抜き取る方法をとっている。或いは上の階と下の階に跨がってコンクリートに埋まっている管を引き抜く際、一つの方法として下の階からジャッキを使用して上の階へ押し上げる工法も考えられる。この工法は、作業時間が比較的少ないという利点はある。
【０００３】
また、古い管と新しい管を取り換える場合には、管の引き抜き装置が用いられる。この管の引き抜き装置としては、周方向に沿って複数に分割可能な円筒状のコアーピットと、このコアーピットをおなじく周方向に沿って複数に分割可能なヘッド部分で保持して回転を与える回転駆動機構を、スラブ（コンクリート）を貫通する配管に外嵌するように組み立て、該配管の周囲で回転させた前記コアーピットを下降させてスラブ（コンクリート）を切削することによって、スラブ（コンクリート）の配管が貫通する部分の周囲を上下に貫通する円筒状に切り抜き、コアーピットがコンクリートを貫通するとこれを抜き取ってコアーピットと回転駆動機構を配管から撤去し、この後、スラブ（コンクリート）から分離された配管を切り抜き孔から抜き取ったあとに該切り抜き孔に新たな配管を挿入し、この新たな配管と切り抜き孔の空間を充填材で埋めるようにしたスラブ（コンクリート）貫通配管の取り換え工法と装置が知られている（特許文献１）。しかし、この工法では狭い場所での作業が困難であり、作業時間が相当的長くなるという問題がある。また、スラブ（コンクリート）内埋設の電線等を切断する恐れがある。
【０００４】
また、排水管継手は、上部受け口を備える上胴体と、集合住宅の上階と下階とを仕切るコンクリートスラグを貫通して取付けられる構成で、下部接続部を備える下胴体と、その上胴体と下胴体とを水密な状態で連結するとともに、連結解除可能に構成された縦方向連結機構とを有しており、排水管継手の下胴体の下部接続部と下階の排水立て管の上端部との接続部分には、その排水管継手の下部接続部と下階の排水立て管とを水密な状態で接続するとともに、分離可能に構成された配管接続機構が設けられた構成の排水設備及びその排水設備の更新方法が知られている（特許文献２）。しかし、この方法は、コンクリートスラブ貫通管を撤去した後、又は新設時における方法であり、既設管を撤去する方法ではない。
【先行技術文献】
【特許文献】
【０００５】
【特許文献１】特開２００６−２００６５６
【特許文献２】特開２００８−１８００５６
【特許文献３】特開２００７−０３２７５９
【発明の概要】
【発明が解決しようとする課題】
【０００６】
上記するように、下の階からジャッキを使って上の階へ押し上げる場合は、下の階と上の階を行き来しなければならず、さらに天井付近での脚立作業・上向き作業となるため、安全性と作業効率が低下してしまう、という問題がある。管の取り換え作業に際し、コンクリートと管との間に振動を発生させる方法もあるが、騒音等隣近所に迷惑となる。
さらに、引用文献１のものは、振動や騒音も発生し、コアービットの下部にダイヤモンド製或いは超硬質鋼材製のチップを設けて、外歯歯車をモータで駆動してスラブ（コンクリート）を円筒状に切り抜くものであり、上階と下階との間はやはり行き来しなければならない。
【０００７】
また、引用文献２のものもコスト低減はされるが、やはり配管工事の途中で上階と下階とを行き来しなければならず、作業が煩雑かつ面倒であり、脚立を利用しなければならない点では引用文献１と同様である。引用文献３のものは、旧埋設管を新設管と交換する場合の発明であり、しかも道路地盤に埋設した埋設管を新設管と交換する場合の該埋設管を引き抜く場合の構成を示すもので、集合住宅には適用できない。
【０００８】
本発明は上記する課題に対処するためになされたものであり、上階のみで配管の引き抜きや取り換えが可能であり、作業の際にも脚立やジャッキ等を使用せず、比較的安全に作業することのできる管の引き抜き工具を提供することを目的としている。
【課題を解決するための手段】
【０００９】
即ち、この発明は、上記する課題を解決するために、請求項１に記載の発明は引き抜かれる管Ａの外周面と接触して該管Ａを保持し且つ外周面をテーパ状としたコマ３と、前記引き抜かれる管Ａとコマ３とを保持する管ホルダ１と、前記管ホルダ１に連結されたシリンダ用シャフト５と、油圧により前記シリンダ用シャフト５を上方向に持ち上げるシリンダ２と、該シリンダ２を保持するシリンダホルダ４と、を備えた管の引き抜き工具であることを特徴としている。
【００１０】
また、請求項２に記載の発明は、引き抜かれる管Ａの外周面と接触して該管Ａを保持し且つ外周面をテーパ状としたコマ３と、前記引き抜かれる管Ａとコマ３とを保持する管ホルダ１と、外周面に雄ねじを設けたシャフト１５と、
前記シャフト１５を貫通させた一方のプレート１４と引き抜かれる管Ａと前記コマ３が嵌まる程度の穴を穿設した他方のプレート１６と、これら一方のプレート１４と他方のプレート１６とを複数本のボルト１８とナット１９で連結してなる固定台２０と、
前記シャフト１５の雄ねじに前記一方のプレート１４の上側で螺合させた雌ねじ１７と、を備えた管の引き抜き工具であることを特徴としている。
【００１１】
また、請求項３に記載の発明は、引き抜かれる管Ａの外周面と接触して該管Ａを保持し且つ外周面をテーパ状としたコマ３と、前記引き抜かれる管Ａとコマ３とを保持する管ホルダ１と、外周面に雄ねじを設けたシャフト１５と、
該シャフト１５を貫通させた一方のプレート１４と引き抜かれる管Ａと前記コマ３が嵌まる程度の穴を穿設した他方のプレート１６とこれら一方のプレート１４と他方のプレート１６とを複数本のボルト１８とナット１９で連結してなる固定台２０と、
前記シャフト１５の雄ねじに前記一方のプレート１４の上側で螺合させた雌ねじ１７と、前記外周面に雄ねじを設けたシャフト１５の端部に設けたハンドル２１と、を備えた管の引き抜き工具であることを特徴としている。
【００１２】
また、請求項４に記載の発明は、前記管ホルダ１は、一方のプレート１ａと、引き抜かれる管Ａとコマ３とが嵌まる程度の穴を穿設した他方のプレート１ｂとを複数本のボルト１ｃとナット１ｄで締め付けて構成してなるものであることを特徴としている。
【００１３】
さらに、請求項５に記載の発明は、前記シリンダホルダ４は、前記シリンダ２を設置した一方のプレート４ａと、床の上に設置する他方のプレート４ｂと、これら一方のプレート４ａと他方のプレート４ｂとを複数本のボルト４ｃとナット４ｄで締めつけて構成してなることを特徴としている。
【００１４】
さらにまた、請求項６に記載の発明は、前記コマ３の外周面端部に鍔部３ａを形成するとともに、内周面には鋸歯状の凹凸３ｃが形成してあることを特徴としている。
【発明の効果】
【００１５】
本発明を上記手段とすれば、配管作業や管の取り換え作業を行うに際し、上下の階にまたがって行き来して作業をする必要はなく、１つの階のみで管の引き抜き作業や取り換え作業を行うことができる。しかも床の上で安全に作業することができるので、作業能率を大幅に上げることができる。また、配管の引き抜き作業に際し疲労することもなく、脚立等を使用することもないため安全である。さらに本発明の管の引き抜き工具の使用に際しては振動や騒音も少なく、特に油圧元を手動とすることにより騒音を小さくすることができ、隣や近所に迷惑を及ぼすこともない。また、管ホルダやシリンダホルダはボルトとナットで組み立てる方式であるため、作業が終了すれば分解し、持ち運び自由であり、どこでも使用することができて便利である。
【図面の簡単な説明】
【００１６】
【図１】本発明の管の引き抜き工具の構成を示す全体斜視図である。
【図２】本発明の管の引き抜き工具であって、引き抜くべき管と、管ホルダで保持されるコマを取り出して示した全体斜視図である。
【図３】図３（Ａ）は、管Ａにこの管の引き抜き工具を取り付ける場合の縦断面図であり、図３（Ｂ）は、管Ａがある程度引き抜かれた状態を示す縦断面図である。
【図４】コマと下プレート付近の引き抜き状態、特にくさび作用がわかるように示す一部拡大断面図である。
【図５】本発明の管の引き抜き工具で管Ａを引き抜いた状態を示す全体斜視図である。
【図６】図 6（Ａ）は、シリンダを用いないで、管を引き抜く他の実施例を示す一部縦面図であり、図６（Ｂ）は、シリンダを用いないで、管を引き抜く更に他の実施例を示す一部縦面図である。
【発明を実施するための最良の形態】
【００１７】
以下、本発明を実施するための最良の形態について、添付図を参照しながら説明する。
図１は、本発明の管の引き抜き工具の構成を示す全体斜視図であり、図２は引き抜くべき管と、管ホルダで保持されるコマを取り出して示した全体斜視図である。本発明の管の引き抜き工具は、内周面が引き抜かれる管Ａの外周面と接触して該管Ａを保持し且つ外周面３ｂをテーパ状としたコマ３と、前記コマ３を保持する管ホルダ１と、管ホルダ１の一方のプレート１ａに連結されたシリンダ用シャフト５と、油圧により前記シリンダ用シャフト５を上方向に持ち上げるシリンダ２と、シリンダホルダ４と、で構成されている。なお、前記管Ａは一つの階（上の階）で上下に所定の長さ分切断したものである。
【００１８】
前記管ホルダ１は、一方のプレート１ａと、他方のプレート１ｂと、３本のボルト１ｃ、１ｃ、１ｃと、ナット１ｄ、１ｄ、１ｄとで構成される。すなわち、管ホルダ１は、一方のプレート１ａと他方のプレート１ｂを３本のボルト１ｃ、１ｃ、１ｃで連結し、ナット１ｄ、１ｄ、１ｄで組み立て締めつけて構成される。前記他方のプレート１ｂには、管Ａを通し且つ周囲にコマ３が嵌まる程度の穴１ｂ1 が穿設してある。また、シリンダホルダ４は、前記シリンダ２を設置した一方のプレート４ａと、床の上に設置する他方のプレート４ｂと、これら一方のプレート４ａと他方のプレート４ｂとを連結する３本のポルト４ｃ、４ｃ、４ｃと、ナット４ｄ、４ｄ、４ｄと、で同様に構成される。
【００１９】
前記シリンダ２にはオイルを注入し、油圧ポンプで油圧を加えるインジェクタ６が取付られる。図や詳細は省略するが、シリンダ２内には油圧によって上方向に移動するピストンが配置され、前記シリンダ用シャフト５はこのピストンに連結されている。前記シリンダホルダ４は、前記管ホルダ１全体を内部に保持するようにしてある。なお、シリンダ２にかける油圧は手動式としても良い。更に、前記管ホルダ１を構成するボルト１ｃ等は３本でなく、２本或いは４本或いはそれ以上であってもよく、シリンダホルダ４を構成するボルト４ｃ等も３本でなく、２本或いは４本或いはそれ以上であっても良い。
【００２０】
次に、前記コマ３は、実施の形態の図では３つに分割され組み合わせるように形成してあるが、各コマ３には鍔部３ａを設けるとともに外周面３ｂがテーパ状の円筒形状となっている。また、該コマ３の内周面には抜き取る管Ａの表面によく食い込むように鋸歯状の凹凸３ｃが形成してある。さらに、該コマ３は、テーパ状としたその外周面３ｂの途中で他方のプレート１ｂの上面に係止させるためのものである。該コマ３も３つでなく、２つ或いは４つ以上に分割してあっても良い。
【００２１】
本発明の管の引き抜き工具は、以上のように構成してあるが、次に、実際に管Ａを引き抜くときの作用について説明する。
図３（Ａ）は、管Ａにこの管の引き抜き工具を取り付ける場合の縦断面図であり、図３（Ｂ）は、管Ａがある程度引き抜かれた状態を示す縦断面図である。
また、図４（Ａ）はコマ３と他方のプレート１ｂ付近の引き抜き状態を示す一部拡大断面図である。
本発明の管の引き抜き工具を管Ａに取り付ける場合は、シリンダ２の油圧を抜いて管ホルダ１が最下部に位置する状態とし、コマ３を管Ａの外周面に当てて管ホルダ１の他方のプレート１ｂに取り付ける。次に、シリンダ２に油圧をかけてシリンダ用シャフト５を上に移動させる。そうすると、管ホルダ１の下プレート１ｂがコマ３のテーパ状の外周面に係止し、上プレート１ａとともに管ホルダ１が上方向に移動しようとする。このとき、図４（Ｂ）に示すように、コマ３の外周面３ｂはテーパ状となっているので、他方の（下の）プレート１ｂの上方向の力がかかると「くさび作用」によって、コマ３の内周面には管Ａの表面を押す力が作用してコマ３の内周面に形成した鋸状の凹凸３ｃが管Ａの表面に食い込もうとする。そして、コマ３の内周面は管Ａの表面を滑ることはない。そして、管ホルダ１（他方のプレート１ｂ）の上方向の力が作用するとコマ３は「くさび作用」によりますます管Ａに食い込みつつ管ホルダ１の上へ移動するとともに管Ａもついに上方向に移動する。こうして古い管Ａを引き抜くことができる。図５は、本発明の管の引き抜き工具で管Ａを引き抜いた状態を示す全体斜視図である。
【００２２】
上記の実施の形態では、シリンダ２とシリンダ用シャフト５で管ホルダ１とコマ３とを上方向に移動させる力が作用するようにしたが、図６（Ａ）に示すように、シリンダ２を用いないで、シリンダホルダ４の一方のプレート４ａの代わりに通常のプレート１４を用い、シリンダ用シャフト５の代わりに雄ねじ（台ねじが良い）を刻設した通常のシャフト１５と、前記シャフト１５を貫通させた一方のプレート１４と引き抜かれる管Ａと前記コマ３が嵌まる程度の穴を穿設した他方のプレート１６と、これら一方のプレート１４と他方のプレート１６とを複数本のボルト１８とナット１９で連結してなる固定台２０と、を設け、そして前記シャフト１５の雄ねじに前記一方のプレート１４の上側で螺合させた雌ねじナット１７と、で構成し、該雌ねじ１７にラチェット式のスパナをかけて回してシャフト１５を上へ移動させる管の引き抜き工具としても良い。
【００２３】
或いは、図６（Ｂ）に示すように、前記シャフト１５の上端部にハンドル２１を設けて、該ハンドル２１を回すことによって管ホルダ１を上方向に移動させるようにしても良い。この場合、雌ねじナット１７を押さえてハンドル２１を回すようにする。或いは、雄ねじを設けたシャフト１５をボールねじとし、該ボールねじをモータにより駆動するようにしても良い。或いは雌ねじナット１７の代わりにプレート１４に雌ねじを設けても良い。
【符号の説明】
【００２４】
１    管ホルダ
１ａ  一方のプレート
１ｂ  他方のプレート
１ｃ  ボルト
１ｄ  ナット
２    シリンダ
３    コマ
３ａ  鍔部
３ｂ  コマ外表面（テーパ状）
３ｃ  鋸歯状凹凸
４    シリンダホルダ
４ａ  一方のプレート                
４ｂ  他方のプレート
４ｃ  ボルト
４ｄ  ナット
５    シリンダ用シャフト
６    インジェクタ
１４  一方のプレート
１５  シャフト
１６  他方のプレート
１７  雌ねじナット
２０  固定台
２１  ハンドル
【図１】
2010203508.tif 000003
【図２】
2010203508.tif 000004
【図３】
2010203508.tif 000005
【図４】
2010203508.tif 000006
【図５】
2010203508.tif 000007
【図６】
2010203508.tif 000008